(57)【要約】【課題】作業性に優れるうえに、試験結果に影響を及ぼすおそれのないコンクリート供試体用の記録票を提供する。【解決手段】コンクリート供試体に関する情報が記載されるコンクリート供試体用の記録票１である。  そして、供試体１０を成形する際に使用される型枠９の内周面９ｂに対峙させる表面側に設けられる記載層２と、供試体に密着させる裏面側に設けられる密着層４とを備えている。また、密着層には、格子状体５が形成される。さらに、格子状体の凹部５２には、接着剤４１を塗布しておくことが好ましい。【選択図】図１
2015141187.tif 000002
【特許請求の範囲】
【請求項１】
コンクリート供試体に関する情報が記載されるコンクリート供試体用の記録票であって、
前記コンクリート供試体を成形する際に使用される型枠の内周面に対峙させる表面側に設けられる記載層と、
前記コンクリート供試体に密着させる裏面側に設けられる密着層とを備え、
前記密着層には凹凸部が形成されることを特徴とするコンクリート供試体用の記録票。
【請求項２】
前記凹凸部は、格子状体又は網状体によって形成されることを特徴とする請求項１に記載のコンクリート供試体用の記録票。
【請求項３】
前記凹凸部の凸部は、粒状体によって形成されることを特徴とする請求項１に記載のコンクリート供試体用の記録票。
【請求項４】
前記凹凸部の凹部には、接着剤が塗布されることを特徴とする請求項１乃至３のいずれか一項に記載のコンクリート供試体用の記録票。
【発明の詳細な説明】
【技術分野】
【０００１】
本発明は、コンクリートの品質管理に必要な事項などの情報が記載されるコンクリート供試体用の記録票に関するものである。
【背景技術】
【０００２】
建設現場などで打設される生コンクリートは、所定の品質が確保されているか否かを確認する目的で一部が抜き取られて供試体に成形されて、圧縮強度試験などの品質確認試験が行われる。
【０００３】
そして、試験用に成形されるコンクリート供試体には、採取されたコンクリートが使用された箇所や打設時の生コンクリートの状態が容易に特定できるように、記録票が貼り付けられる（特許文献１−３など参照）。
【０００４】
例えば特許文献１に開示された記録票は、供試体を成形する際に使用される型枠側とコンクリート側との両面が接着面となっており、コンクリートが型枠内に充満されるまで型枠側に固定しておくことができるうえに、コンクリート硬化後は供試体の側面に貼り付いて供試体の必要事項が瞬時にわかるようになっている。
【０００５】
また、特許文献２に開示された記録票も、コンクリート側が接着面になっており、コンクリート硬化後は供試体の側面に貼り付いて供試体の必要事項を読み取ることができるようになっている。
【０００６】
さらに、特許文献３に開示されたネームラベルを覆うクリアシートには、左右両側縁から直角に複数片の折曲げ部が突出されており、これらの折曲げ部をコンクリートの内部に埋め込むことによって供試体の側面に固定できるようになっている。
【先行技術文献】
【特許文献】
【０００７】
【特許文献１】特開２０１２−２１１８５３号公報
【特許文献２】特開２００６−１０５９４９号公報
【特許文献３】特開２００４−６１２６６号公報
【発明の概要】
【発明が解決しようとする課題】
【０００８】
しかしながら特許文献１，２に開示された記録票のようにコンクリート側の面に接着剤が塗布されていると、手で持って型枠の内周面に記録票を密着させる際に手袋（軍手）に記録票がくっついてしまうという問題が生じるおそれがある。
【０００９】
この接着剤の接着力が弱ければそのような問題は生じにくいが、接着剤の接着力のみで供試体の側面に付着させようとすれば接着力を強くせざるを得ず、手袋へのくっつきという問題が生じやすくなる。
【００１０】
これに対して特許文献３に開示された折曲げ部を埋設させる方法では、手袋へのくっつきという問題は生じないが、型枠内部で様々な方向からコンクリート圧が作用する状況において折曲げ部の形状が保持できるかという問題や、コンクリートが充分に回り込んで試験結果に影響を及ぼさないような供試体に成形できるかという問題が心配される。
【００１１】
そこで、本発明は、作業性に優れるうえに、試験結果に影響を及ぼすおそれのないコンクリート供試体用の記録票を提供することを目的としている。
【課題を解決するための手段】
【００１２】
前記目的を達成するために、本発明のコンクリート供試体用の記録票は、コンクリート供試体に関する情報が記載されるコンクリート供試体用の記録票であって、前記コンクリート供試体を成形する際に使用される型枠の内周面に対峙させる表面側に設けられる記載層と、前記コンクリート供試体に密着させる裏面側に設けられる密着層とを備え、前記密着層には凹凸部が形成されることを特徴とする。
【００１３】
ここで、前記凹凸部は、格子状体又は網状体によって形成することができる。また、前記凹凸部の凸部を、粒状体によって形成してもよい。さらに、前記凹凸部の凹部には、接着剤を塗布しておくことが好ましい。
【発明の効果】
【００１４】
このように構成された本発明のコンクリート供試体用の記録票は、コンクリート供試体に密着させる密着層に凹凸部が形成されている。このため、凸部に接着剤が付いていたとしても、平面のすべてに接着剤が塗布されている場合に比べて接着力が弱くなるため、作業中の手袋へのくっつきを抑えることができる。
【００１５】
さらに、コンクリート成分が凹部に充填されることで、接着剤による接着力を減らしたり無くしたりしても、コンクリート供試体の側面に確実に付着させることができる。また、密着層に形成される程度の凹凸部であれば、試験結果に影響を及ぼすことはない。
【００１６】
このような凹凸部は、格子状体や網状体によって容易に形成することができる。また、密着層に接着剤を塗布した後に砂やガラス粒などの粒状体を散布することで、容易に凹凸部を形成することができる。
【００１７】
さらに、凹凸部の凹部に接着剤を塗布しておけば、作業中の手袋への付着を防げるうえに、凹部に流れ込んだコンクリート成分との付着強度を高めることができる。
【図面の簡単な説明】
【００１８】
【図１】本発明の実施の形態のコンクリート供試体用の記録票の構成を示した図であって、（ａ）は表面側から見た図、（ｂ）は裏面側から見た図である。
【図２】コンクリート供試体の側面に記録票が貼り付けられた状態を示した斜視図である。
【図３】複数の記録票を備えた記録票シートの構成を示した平面図である。
【図４】記録票の使用方法を説明する図であって、（ａ）はコンクリート供試体の情報を記入した状態を示した斜視図、（ｂ）は（ａ）のＡ−Ａ矢視方向で見た模式的な断面図、（ｃ）は透明フィルムを閉じた状態を示す模式的な断面図である。
【図５】（ａ）はコンクリート供試体を製作するために型枠の内周面に記録票を手で押し付けている状態を示す説明図、（ｂ）はコンクリートが打ち上がってきたことで記録票が押さえられて安定したため手を離した状態を示す説明図である。
【図６】型枠内にコンクリートが充満された状態を示す断面図である。
【図７】図６の記録票周辺を拡大して模式的に示した説明図である。
【図８】実施例１のコンクリート供試体用の記録票の構成を裏面側から見た図である。
【図９】実施例２のコンクリート供試体用の記録票の構成を裏面側から見た図である。
【発明を実施するための形態】
【００１９】
以下、本発明の実施の形態について図面を参照して説明する。図１は、本実施の形態のコンクリート供試体用の記録票１の構成を示した図である。ここで、図１（ａ）は、後述する円筒状の型枠９の内周面に対峙させる記録票１の表面側を見た図である。一方、図１（ｂ）は、供試体１０となるコンクリートが充填される記録票１の裏面側を見た図である。
【００２０】
本実施の形態の記録票１は、表面側に設けられる記載層２と、その記載層２を表面側から覆う透明フィルム３と、裏面側に設けられる密着層４と、密着層４に形成される凹凸部としての格子状体５とを主に備えている。
【００２１】
記載層２は、コンクリートの品質に関する所定事項などの情報が印刷や記入等される記載部２１を表面に有している。そして、記載層２の裏面側が密着層４となる。
【００２２】
このため、記載層２と密着層４とを一枚のシートの表裏によって形成する場合は、コンクリートに対して耐性のある材料を使用する必要がある。すなわちコンクリートはアルカリ性であるため、耐アルカリ性、耐水性を有する化学合成紙によって記載層２を形成する。例えば「ＹＵＰＯ＃８０」（マルウ接着剤株式会社製）などを使用することができる。
【００２３】
また、記載層２が化学合成紙であれば、４週間以上の水中養生浸漬後も記入文字及び紙質に変化を生じさせないため、文字が鮮明で読みやすく、写真に写すこともできる。
【００２４】
さらに、紙質が変化しにくいので、透明フィルム３との接着が強く維持され、養生中に記録票１が供試体１０から剥がれにくいものとなる。また、記載層２として化学合成紙を用いることにより、引張強度が高いものとなり、通常では破損しにくいものとなる。
【００２５】
そして、このような取扱・記録保存がしやすいという利点によって、コンクリート品質管理記録として信頼性を高めることができる。ここで、記載層２の記載部２１には、現場で打設されたコンクリートの品質を管理する上で必要な所定事項（事業主体、工事名、コンクリート打設場所、立合人の氏名、コンクリートの採取日、スランプ試験値、採取したコンクリートの空気量、温度、塩分など）が情報として記載される。
【００２６】
この記載層２は、さらにその表面側から透明フィルム３によって覆われる（図４参照）。記載層２の少なくとも記載部２１を透明フィルム３で覆うことによって、生コンクリートのペーストが記載部２１に付着したり、記載部２１に記載された情報が水等で消失したりすることから物理的に保護することができる。
【００２７】
すなわち、透明フィルム３により記載層２の記載部２１が保護されていれば、供試体１０を製作するために型枠９内に生コンクリートを打設して養生する際や、脱型して得られた記録票１が貼り付けられた供試体１０を水中養生等する際にも、記載部２１の記載事項が読み取れなくなったり消失したりすることがない。
【００２８】
このような透明フィルム３には、耐アルカリ性、耐水性を示し、型枠９の内周面９ｂに密着しやすい材質のものが望ましい。例えば、「ＯＰＰ＃２０」（マルウ接着剤株式会社製）などを使用することができる。
【００２９】
透明フィルム３の裏面には、図４に示すように接着剤６が塗布されている。この接着剤６は、少なくとも固化後に透明性を有している必要がある。このような接着剤６には、例えばエマルジョン糊などが使用できる。
【００３０】
この記録票１は、コンクリートが硬化して型枠９が取り外されたときには、図２に示すように供試体１０の側面（周面）の上方に貼り付けられた状態になる。そして、記載部２１の記載事項は、透明フィルム３を通して表面側から読み取ることができる。
【００３１】
一方、記録票１の裏面側は、図１（ｂ）に示すように、密着層４と格子状体５とによって構成される。上述したように密着層４は、記載層２を形成する面材の裏面とすることができる。また、記載層２となる面材に密着層４となる面材を貼り合わせる構成であってもよい。
【００３２】
そして、密着層４のさらにその裏面側に格子状体５が形成される。この格子状体５は、格子の線材によって形成される凸部５１と、格子の目に形成される凹部５２とによって構成される。すなわち、密着層４には、間隔を置いて複数の凸部５１と凹部５２とが形成されることになる。
この格子状体５は、格子材を密着層４に接合させることで容易に形成することができる。格子状体５の材質は、紙、繊維、合成樹脂、木質系などいずれのものであってもよい。
【００３３】
また、格子状体５の露出面には、図４（ｂ）に示すように接着剤４１を塗布することができる。この接着剤４１には、例えば中粘再剥離型のアクリル系溶剤（商品名「Ｒｔ−Ｈ」：マルウ接着剤株式会社製）などが使用できる。  以上のように構成される記録票１は、例えば図３に示すように、３枚を一組にして台紙７に貼り付けられて記録票シート１１として提供される。すなわち、格子状体５の凸部５１の露出面に接着剤４１が塗布されていれば、台紙７に貼り付けて提供することができる。なお、図３では、構成をわかりやすくするために、透明フィルム３の剥離紙８の図示は省略してある。
【００３４】
次に、本実施の形態のコンクリート供試体用の記録票１の使用方法及び作用について、図４−７を参照しながら説明する。
【００３５】
まず、図４（ａ）に示すように台紙７に貼り付けられた状態の記録票１の透明フィルム３を捲る。すなわちこの段階では、透明フィルム３の裏面の接着剤６には剥離紙８が貼り付けられており、透明フィルム３が記載部２１に付着しないようになっている。
【００３６】
透明フィルム３を捲ったときに露出する記載部２１には、コンクリートの品質を管理するために必要な事項を記入する。そして、図４（ｂ）に示すように剥離紙８を透明フィルム３から剥がして、記載部２１との間に空気が入らないようにして透明フィルム３を記載部２１に密着させる（図４（ｃ））。
【００３７】
続いて手袋Ｇをした手で台紙７から剥がした記録票１を持って、図５（ａ）に示すように、透明フィルム３側を型枠９の内周面９ｂに対峙させる向きにして、型枠９の上縁部９ａから内部に挿し込む。
【００３８】
そして、密着層４の格子状体５側を、手袋Ｇをした手で押すことで、記録票１の透明フィルム３で覆われた面を、対峙させた型枠９の内周面９ｂに押し付ける。
【００３９】
ここで、本実施の形態のコンクリート供試体用の記録票１は、供試体１０に密着させる側の密着層４に格子状体５が形成されている。このため、凸部５１に接着剤４１が付いていても、平面のすべてに接着剤が塗布されている場合に比べて接着力が弱くなるため、作業中の手袋Ｇへのくっつきを抑えることができる。
【００４０】
続いて、記録票１を手で型枠９の内周面９ｂに押し付けた状態で、図５（ｂ）に示すように型枠９の内部にコンクリートを充填していく。コンクリートが打ち上がってくると、記録票１の下方がコンクリートによって内周面９ｂに押し付けられることになるので、手を離すことができるようになる。
【００４１】
図６は、型枠９の内部にコンクリートを充満させて供試体１０となった状態を示した断面図である。この状態では記録票１は、コンクリート圧によって内周面９ｂに押し付けられて固定されている。
【００４２】
図７は、構成を説明するために図６の記録票１周辺を拡大して模式的に示した図である。この図に示すように、記録票１の透明フィルム３が型枠９の内周面９ｂに密着した状態になっている。
【００４３】
一方、コンクリート成分が凹部５２に充填されることで、接着剤４１による接着力に加えて、凹部５２で硬化したコンクリート成分とのせん断抵抗も付着力となるため、供試体１０の側面に確実に付着させることができる。
【００４４】
また、密着層４に形成される程度の格子状体５であれば、圧縮試験などの試験結果に影響を及ぼすことはない。すなわち紙の厚さ程度や1 mmにも満たない格子状体５が供試体１０の側面にめり込んでも、供試体１０の強度がそれによって変化することはない。
【実施例１】
【００４５】
次に、前記実施の形態で説明したコンクリート供試体用の記録票１とは別の形態の記録票１Ａについて、図８を参照しながら説明する。なお、前記実施の形態で説明した内容と同一乃至均等な部分の説明については、同一用語や同一符号を付して説明する。
【００４６】
図８は、記録票１Ａを裏面側から見た図である。この記録票１Ａには、密着層４Ａに凹凸部としての網状体５Ａが形成されている。なお、記録票１Ａの表面側の構成は、前記実施の形態で説明した記録票１と同じであるため、説明を省略する。
【００４７】
この網状体５Ａは、網材によって形成される凸部５１Ａと、網目に形成される凹部５２Ａとによって構成される。すなわち、密着層４Ａには、間隔を置いて複数の凸部５１Ａと凹部５２Ａとが形成されることになる。
【００４８】
この網状体５Ａは、密着層４Ａの全面に接着剤４１を塗布して、その接着剤４１によって網状体５Ａを接合させることで容易に形成することができる。この方法によって密着層４Ａに網状体５Ａを形成した場合、凹部５２Ａは接着剤４１が塗布された状態になるが、凸部５１Ａの露出面には接着剤４１が付かないことになる。
【００４９】
このように構成された実施例１のコンクリート供試体用の記録票１Ａは、凸部５１Ａの露出面に接着剤４１が付いていないので、作業中の手袋Ｇへの付着を完全に防ぐことができる。
【００５０】
また、網状体５Ａの凹部５２Ａには接着剤４１が塗布されているので、凹部５２Ａに流れ込んだコンクリート成分との付着強度を高めることができる。
【００５１】
なお、他の構成及び作用効果については、前記実施の形態又は他の実施例と略同様であるので説明を省略する。
【実施例２】
【００５２】
次に、前記実施の形態又は実施例１で説明したコンクリート供試体用の記録票１，１Ａとは別の形態の記録票１Ｂについて、図９を参照しながら説明する。なお、前記実施の形態又は実施例１で説明した内容と同一乃至均等な部分の説明については、同一用語や同一符号を付して説明する。
【００５３】
図９は、記録票１Ｂを裏面側から見た図である。この記録票１Ｂには、密着層４Ｂに砂やガラス粒などの粒状体５１Ｂによって凹凸部５Ｂが形成されている。なお、記録票１Ｂの表面側の構成は、前記実施の形態で説明した記録票１と同じであるため、説明を省略する。
【００５４】
この凹凸部５Ｂは、凸部となる複数の粒状体５１Ｂと、それらの隙間の凹部５２Ｂとによって構成される。この凹凸部５Ｂは、密着層４Ｂの全面に接着剤４１を塗布して、その上から粒状体５１Ｂ，・・・を散布して接合させることで容易に形成することができる。
【００５５】
また、この方法によって密着層４Ｂに凹凸部５Ｂを形成した場合、粒状体５１Ｂの露出面には接着剤４１が付いていないので、作業中の手袋Ｇへの付着を防ぐことができる。
【００５６】
さらに、凹凸部５Ｂの凹部５２Ｂには接着剤４１が塗布されているので、凹部５２Ｂに流れ込んだコンクリート成分との付着強度を高めることができる。
【００５７】
なお、他の構成及び作用効果については、前記実施の形態又は他の実施例と略同様であるので説明を省略する。
【００５８】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００５９】
例えば、前記実施の形態及び実施例では、格子状体５、網状体５Ａ又は粒状体５１Ｂを密着層４，４Ａ，４Ｂに接合させることによって凹凸部を形成したが、これに限定されるものではなく、密着層に直接、凹凸加工を施すこともできる。また、凹凸加工が施された密着層と記載層とを貼り合わせる構成であってもよい。
【符号の説明】
【００６０】
１            記録票
２            記載層
４            密着層
５            格子状体（凹凸部）
５１          凸部
５２          凹部
９            型枠
９ｂ          内周面
１０          （コンクリート）供試体
１Ａ          記録票
４Ａ          密着層
５Ａ          網状体（凹凸部）
５１Ａ        凸部
５２Ａ        凹部
１Ｂ          記録票
４Ｂ          密着層
５Ｂ          凹凸部
５１Ｂ        粒状体（凸部）
５２Ｂ        凹部
【図１】
2015141187.tif 000003
【図２】
2015141187.tif 000004
【図３】
2015141187.tif 000005
【図４】
2015141187.tif 000006
【図５】
2015141187.tif 000007
【図６】
2015141187.tif 000008
【図７】
2015141187.tif 000009
【図８】
2015141187.tif 000010
【図９】
2015141187.tif 000011